(57)【要約】  再送制御情報の送信タイミング／送信期間が柔軟に制御される（可変となる）場合であっても、通信を適切に行うために、本発明のユーザ端末の一態様は、ＤＬ送信に対する再送制御情報を送信する送信部と、基地局から通知された所定タイミングで前記再送制御情報の送信を制御する制御部と、を有し、前記再送制御情報に対して時間ウィンドウが設定され、前記制御部は、前記所定タイミングと前記再送制御情報に設定された時間ウィンドウとに基づいて前記再送制御情報の送信を制御する。
2019030871.tif 000002
【特許請求の範囲】
【請求項１】
ＤＬ送信に対する再送制御情報を送信する送信部と、
基地局から通知された所定タイミングで前記再送制御情報の送信を制御する制御部と、を有し、
前記再送制御情報に対して時間ウィンドウが設定され、前記制御部は、前記所定タイミングと前記再送制御情報に設定された時間ウィンドウとに基づいて前記再送制御情報の送信を制御することを特徴とするユーザ端末。
【請求項２】
前記制御部は、前記時間ウィンドウ内に前記所定タイミングが複数含まれる場合、前記時間ウィンドウを構成する再送制御情報を複数の所定タイミング毎に送信するように制御することを特徴とする請求項１に記載のユーザ端末。
【請求項３】
前記制御部は、前記所定タイミングで送信する前記再送制御情報のコードブックサイズをＤＬ送信のスケジューリング有無に関わらず制御することを特徴とする請求項１又は請求項２に記載のユーザ端末。
【請求項４】
前記制御部は、前記所定タイミングにおいて複数のＤＬ送信に対する再送制御情報の送信を行う場合、各ＤＬ送信が行われる時間ユニット番号又は各ＤＬ送信の送信順序に応じて各再送制御情報の多重位置を制御することを特徴とする請求項１から請求項３のいずれかに記載のユーザ端末。
【請求項５】
前記制御部は、前記時間ウィンドウの範囲内で前記再送制御情報を送信できない場合、前記時間ウィンドウ後に最も早く再送制御情報を送信するタイミングで送信を行うように制御することを特徴とする請求項１から請求項４のいずれかに記載のユーザ端末。
【請求項６】
ユーザ端末の無線通信方法であって、
ＤＬ送信に対する再送制御情報を送信する工程と、
基地局から通知された所定タイミングで前記再送制御情報の送信を制御する工程と、を有し、
前記再送制御情報に対して時間ウィンドウが設定され、前記所定タイミングと前記再送制御情報に設定された時間ウィンドウとに基づいて前記再送制御情報の送信を制御することを特徴とする無線通信方法。
【発明の詳細な説明】
【技術分野】
【０００１】
本発明は、次世代移動通信システムにおけるユーザ端末及び無線通信方法に関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ：Long  Term  Evolution）が仕様化された（非特許文献１）。また、ＬＴＥからの更なる広帯域化及び高速化を目的として、ＬＴＥの後継システム（例えば、ＬＴＥ−Ａ（LTE-Advanced）、ＦＲＡ（Future  Radio  Access）、４Ｇ、５Ｇ、５Ｇ＋（plus）、ＮＲ（New  RAT）、ＬＴＥ  Ｒｅｌ．１４、１５〜、などともいう）も検討されている。【０００３】
既存のＬＴＥシステム（例えば、ＬＴＥ  Ｒｅｌ．１３以前）では、１ｍｓの伝送時間間隔（ＴＴＩ：Transmission  Time  Interval）（サブフレーム等ともいう）を用いて、下りリンク（ＤＬ：Downlink）及び／又は上りリンク（ＵＬ：Uplink）の通信が行われる。当該１ｍｓのＴＴＩは、チャネル符号化された１データパケットの送信時間単位であり、スケジューリング、リンクアダプテーション、再送制御（ＨＡＲＱ−ＡＣＫ：Hybrid  Automatic  Repeat  reQuest-Acknowledge）などの処理単位となる。１ｍｓのＴＴＩには、２スロットが含まれる。【０００４】
また、既存のＬＴＥシステムでは、ユーザ端末及び／又は無線基地局における信号の処理時間（processing  time）等を考慮して、送信タイミングの基準値を固定の４ｍｓと想定して、ＤＬ共有チャネル（例えば、ＰＤＳＣＨ：Physical  Downlink  Shared  Channel）、以下、ＰＤＳＣＨという）に対する再送制御情報（例えば、ＡＣＫ／ＮＡＣＫ、Ａ／Ｎ、ＨＡＲＱ−ＡＣＫ等とも呼ぶ）の送信タイミングが制御される。【０００５】
例えば、既存のＬＴＥシステムのＦＤＤでは、サブフレーム＃ｎでＰＤＳＣＨ（又は、ＤＬデータ）が受信される場合、ユーザ端末におけるＰＤＳＣＨの処理時間等を４ｍｓと想定して、当該ＰＤＳＣＨのＡ／Ｎがサブフレーム＃ｎ＋４で送信（フィードバック）される。また、ＴＤＤでは、ＤＬサブフレーム＃ｎでＰＤＳＣＨが受信される場合、ユーザ端末におけるＰＤＳＣＨの処理時間等を４ｍｓと想定して、当該ＰＤＳＣＨのＡ／Ｎが、ＵＬ／ＤＬ構成等に応じてサブフレーム＃ｎ＋４以降のＵＬサブフレームで送信される。【０００６】
また、既存のＬＴＥシステムでは、ユーザ端末は、ＵＬデータチャネル（例えば、ＰＵＳＣＨ：Physical  Uplink  Shared  Channel）及び／又はＵＬ制御チャネル（例えば、ＰＵＣＣＨ：Physical  Uplink  Control  Channel）を用いて、Ａ／Ｎ等が含まれる上りリンク制御情報（ＵＣＩ：Uplink  Control  Information）を送信する。
【先行技術文献】
【非特許文献】
【０００７】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００８】
将来の無線通信システム（例えば、ＬＴＥ  Ｒｅｌ．１４以降、５Ｇ又はＮＲなど）では、データチャネル（ＤＬデータチャネル及び／又はＵＬデータチャネルを含む、単にデータ等ともいう）のスケジューリングを柔軟に制御することが検討されている。例えば、データの送信タイミング及び／又は送信期間（以下、「送信タイミング／送信期間」とも記す）をスケジューリング毎に変更可能（可変長）とすることが検討されている。また、データの送信に対するＡ／Ｎの送信タイミング／送信期間についてもＡ／Ｎの送信毎に変更可能とすることが検討されている。【０００９】
既存のＬＴＥシステムでは、予め定義された送信タイミングに基づいてＡ／Ｎのフィードバックを制御する。Ａ／Ｎの送信毎に送信タイミングを変更可能となる無線通信システムにおいて、既存のＬＴＥシステムと同様にＡ／Ｎの送信（例えば、多重等）を制御する場合、各Ａ／Ｎ送信を柔軟に制御することができず通信品質が劣化するおそれがある。【００１０】
本発明はかかる点に鑑みてなされたものであり、再送制御情報の送信タイミング／送信期間が柔軟に制御される（可変となる）場合であっても、通信を適切に行うことができるユーザ端末及び無線通信方法を提供することを目的の１つとする。
【課題を解決するための手段】
【００１１】
本発明のユーザ端末の一態様は、ＤＬ送信に対する再送制御情報を送信する送信部と、基地局から通知された所定タイミングで前記再送制御情報の送信を制御する制御部と、を有し、前記再送制御情報に対して時間ウィンドウが設定され、前記制御部は、前記所定タイミングと前記再送制御情報に設定された時間ウィンドウとに基づいて前記再送制御情報の送信を制御することを特徴とする。
【発明の効果】
【００１２】
本発明によれば、再送制御情報の送信タイミング／送信期間が柔軟に制御される（可変となる）場合であっても、通信を適切に行うことができる。
【図面の簡単な説明】
【００１３】
【図１】ＤＬデータに対するＡ／Ｎ用に設定される時間ウィンドウの一例を示す図である。
【図２】複数のＤＬデータに対するＡ／Ｎ用にそれぞれ設定される時間ウィンドウの一例を示す図である。
【図３】Ａ／Ｎ毎に設定される時間ウィンドウを利用したＡ／Ｎフィードバック制御の一例を示す図である。
【図４】Ａ／Ｎ毎に設定される時間ウィンドウを利用したＡ／Ｎフィードバック制御の他の例を示す図である。
【図５】Ａ／Ｎ毎に設定される時間ウィンドウを利用したＡ／Ｎフィードバック制御の他の例を示す図である。
【図６】本実施の形態に係る無線通信システムの概略構成の一例を示す図である。
【図７】本実施の形態に係る無線基地局の全体構成の一例を示す図である。
【図８】本実施の形態に係る無線基地局の機能構成の一例を示す図である。
【図９】本実施の形態に係るユーザ端末の全体構成の一例を示す図である。
【図１０】本実施の形態に係るユーザ端末の機能構成の一例を示す図である。
【図１１】本実施の形態に係る無線基地局及びユーザ端末のハードウェア構成の一例を示す図である。
【発明を実施するための形態】
【００１４】
将来の無線通信システム（例えば、ＬＴＥ  Ｒｅｌ．１４以降、５Ｇ又はＮＲなど）では、データチャネル（ＤＬデータチャネル及び／又はＵＬデータチャネルを含む、単にデータ等ともいう）のスケジューリング単位として、時間長を変更可能な時間単位（例えば、スロット、ミニスロット及び所定数のシンボルの少なくとも一つ）を利用することが検討されている。
【００１５】
ここで、スロットは、ユーザ端末が適用するニューメロロジー（例えば、サブキャリア間隔及び／又はシンボル長）に基づく時間単位である。１スロットあたりのシンボル数は、サブキャリア間隔に応じて定められてもよい。例えば、サブキャリア間隔が１５ｋＨｚ又は３０ｋＨｚである場合、当該１スロットあたりのシンボル数は、７又は１４シンボルであってもよい。一方、サブキャリア間隔が６０ｋＨｚ以上の場合、１スロットあたりのシンボル数は、１４シンボルであってもよい。
【００１６】
サブキャリア間隔とシンボル長とは逆数の関係にある。このため、スロットあたりのシンボルが同一であれば、サブキャリア間隔が高く（広く）なるほどスロット長は短くなるし、サブキャリア間隔が低く（狭く）なるほどスロット長は長くなる。
【００１７】
また、ミニスロットは、スロットよりも短い時間単位である。ミニスロットは、スロットよりも少ない数のシンボル（例えば、１〜（スロット長−１）シンボル、一例として２又は３シンボル）で構成されてもよい。スロット内のミニスロットには、スロットと同一のニューメロロジー（例えば、サブキャリア間隔及び／又はシンボル長）が適用されてもよいし、スロットとは異なるニューメロロジー（例えば、スロットよりも高いサブキャリア間隔及び／又はスロットより短いシンボル長）が適用されてもよい。
【００１８】
将来の無線通信システムでは、既存のＬＴＥシステムと異なる時間単位の導入に伴い、データ等のスケジューリングに複数の時間単位を適用して信号及び／又はチャネルの送受信（又は、割当て等）を制御することが想定される。異なる時間単位を用いてデータ等のスケジューリングを行う場合、データの送信期間／送信タイミング等が複数生じることが考えられる。例えば、複数の時間単位をサポートするユーザ端末は、異なる時間単位でスケジューリングされるデータの送受信を行う。
【００１９】
一例として、第１の時間単位（例えば、スロット単位）のスケジューリング（slot-based  scheduling）と、第１の時間単位より短い第２の時間単位（例えば、非スロット単位）のスケジューリング（non-slot-based  scheduling）を適用することが考えられる。非スロット単位は、ミニスロット単位又はシンボル単位としてもよい。なお、スロットは例えば７シンボル又は１４シンボルで構成され、ミニスロットは１〜（スロット長−１）シンボルで構成できる。
【００２０】
この場合、データのスケジューリング単位に応じて、時間方向におけるデータの送信タイミング／送信期間が異なる。例えば、スロット単位でスケジューリングする場合、１スロットに１つのデータが割当てられる。一方で、非スロット単位（ミニスロット単位又はシンボル単位）でスケジューリングする場合、１スロットの一部の領域に選択的にデータが割当てられる。そのため、非スロット単位でスケジューリングする場合、１スロットに複数のデータの割当てが可能となる。
【００２１】
また、将来の無線通信システムでは、データ等のスケジューリングを柔軟（フレキシブル）に制御するために、データ等の送信タイミング／送信期間をスケジューリング（送信）毎に変更可能とすることが想定される。例えば、非スロット単位スケジューリングでは、データ（例えば、ＰＤＳＣＨ及び／又はＰＵＳＣＨ）はスケジューリング毎にいずれかのシンボルから割当て位置が開始され、所定数のシンボルに渡って配置される。
【００２２】
送信タイミング／送信期間が可変に制御されるデータ（例えば、ＰＤＳＣＨ及び／又はＰＵＳＣＨ）と同様に、当該データに対するＵＣＩ（例えば、Ａ／Ｎ）も送信毎に送信タイミング／送信期間を変更可能な構成とすることが想定される。例えば、基地局が、下り制御情報及び／又は上位レイヤシグナリング等を利用してＡ／Ｎの送信タイミング／送信期間をＵＥに指定（通知）する。この場合、各データにそれぞれ対応するＡ／Ｎの送信タイミング（フィードバックタイミング）がフレキシブルに設定される。
【００２３】
このように、将来の無線通信システムでは、各ＤＬ送信（ＤＬデータ及び／又はＰＤＳＣＨ）にそれぞれ対するＡ／Ｎの送信タイミング等がＡ／Ｎ毎に異なる場合も想定される。かかる場合、予め定義された送信タイミングに基づいてＡ／Ｎのフィードバックを制御する既存のＬＴＥシステム（例えば、Ｒｅｌ．８−１３）の制御方法（例えば、多重、コードブックサイズ等）をそのまま適用することは困難となる。
【００２４】
また、将来の無線通信システムでは、所定の時間単位（時間ユニット）における伝送方向（ＵＬ伝送又はＤＬ伝送）を柔軟に切り替えて制御することも想定される。例えば、所定の時間単位（例えば、スロット）毎に送信方向（ＤＬ伝送又はＵＬ伝送）が変更して制御される場合を想定する。この場合、各ＤＬ送信に対するＡ／Ｎの送信が可能となるタイミング（スロット）を一つに限定するとＡ／Ｎ送信（又は、送信方向の切り替え）を柔軟に制御できなくなるおそれがある。
【００２５】
そこで、本発明者等は、各ＤＬ送信（ＤＬデータ及び／又はＰＤＳＣＨ）に対してそれぞれ発生する１つのＡ／Ｎに対して送信が可能となるタイミングを複数設けることによりＡ／Ｎ送信等を柔軟に制御可能となる点に着目し、Ａ／Ｎ毎に時間ウィンドウ（time  window）を設定すると共に、Ａ／Ｎの送信タイミングと各Ａ／Ｎの時間ウィンドウに基づいてＡ／Ｎの送信（フィードバック）を制御することを着想した。
【００２６】
以下、本発明に係る実施形態について、図面を参照して詳細に説明する。各態様に係る構成は、それぞれ単独で適用されてもよいし、組み合わせて適用されてもよい。なお、以下の説明では、ＤＬデータ及び／又はＰＤＳＣＨに対するＡ／Ｎフィードバックを例に挙げて説明するが、本実施の形態は送信タイミングを柔軟に制御する（可変となる）構成であれば適用することができる。
【００２７】
（第１の態様）
第１の態様は、ＤＬ送信（例えば、ＤＬデータ及び／又はＰＤＳＣＨ）に対するＡ／Ｎに時間ウィンドウを設定してＡ／Ｎ送信（フィードバック）を制御する。Ａ／Ｎ（又は、ＤＬデータ）に対して設定される時間ウィンドウ（time  window）は、Ａ／Ｎ送信ウィンドウ、Ａ／Ｎ送信候補期間、候補Ａ／Ｎタイミング等と呼んでもよい。
【００２８】
ユーザ端末（ＵＥ）は、ＤＬ送信毎にＡ／Ｎフィードバックを行う。例えば、ＵＥは、所定の時間単位で送信されるＤＬデータに対してＡ／Ｎフィードバックを行う。なお、時間単位（時間ユニット）は、スロット、ミニスロット、又は所定数のシンボルで構成される期間であってもよい。以下の説明では、時間単位としてスロットを例に挙げて説明するが、本実施の形態はこれに限られない。
【００２９】
ＵＥは、各スロットにおける送信方向（UL/DL  transmission  direction）について、基地局からの通知（指示）により判断することができる。送信方向（伝送方向）は、ＤＬ、ＵＬ又はその他（例えば、Unknown）がある。また、送信方向に関する情報は、スロット構成の情報としてＵＥに通知してもよい。
【００３０】
その他（例えば、Unknown）が通知された場合、ＵＥはＵＬ伝送及びＤＬ伝送のいずれも行わない構成としてもよい。つまり、その他（Unknown）が通知された場合、ユーザ端末は所定のスロット（又は、スロットにおける所定の時間及び／又は周波数リソース）に対して、何も（anything）（例えば、送信及び／又は受信に関する制御及び／又は動作を）想定しない。当該所定の時間／周波数リソースは、例えば、将来的な拡張性（フォワードコンパチビリティ（forward  compatibility））のために設けられる。当該所定の時間／周波数リソースは、Ｕｎｋｎｏｗｎリソース、確保（reserved）リソース、ブランクリソース、未使用（unused）リソース又は第１の時間／周波数リソース等とも呼ばれる。
【００３１】
Ｕｎｋｎｏｗｎリソースは、データチャネルがスケジューリングされる時間単位（例えば、一以上のスロット、一以上のミニスロット及び一以上のシンボルの少なくとも一つ）のフォーマットに関する情報（フォーマット関連情報、以下、スロットフォーマット関連情報（ＳＦＩ：Slot  Format  related  Information）等ともいう）によって示されてもよい。ＳＦＩは、上記時間単位のフォーマットとして、Ｕｎｋｎｏｗｎリソースとして確保される上記時間／周波数リソース、上記時間単位内のシンボル数、上記時間単位内のＤＬ用のシンボル（ＤＬシンボル）及び／又はＵＬ用のシンボル（ＵＬシンボル）の少なくとも一つを示してもよい。ＳＦＩによって示されるフォーマットの一以上の候補は、予め仕様で定められてもよいし、上位レイヤシグナリングにより設定されてもよい。
【００３２】
当該ＳＦＩは、一以上のユーザ端末を含むグループに共通の下りリンク制御情報（グループ共通ＤＣＩ又は第１のＤＣＩ等ともいう）に含まれてもよい。あるいは、ＳＦＩは、物理レイヤシグナリングで通知される他の制御情報に含まれてもよいし、又は、上位レイヤシグナリングで通知される制御情報に含まれてもよい。
【００３３】
例えば、基地局は、上位レイヤシグナリングで各スロットにおける送信方向をＵＥに準静的（semi-statically）に設定する（オプション１）。あるいは、基地局は、物理レイヤシグナリング（例えば、下り制御情報）で各スロットにおける送信方向をＵＥに動的（dynamically）に通知してもよい（オプション２）。ＵＬ／ＤＬの送信期間の通知（設定）方法として、オプション１及びオプション２のいずれか一方を適用してもよいし、切り替えて適用してもよい。また、送信方向に関する情報は複数のＵＥが共通に受信する情報に含めて送信してもよい。
【００３４】
また、基地局は、データに対するＡ／Ｎ送信（フィードバック）タイミングをＵＥに通知（設定）する。例えば、基地局は、上位レイヤシグナリングでＤＬデータに対するＡ／Ｎ送信タイミングをＵＥに準静的（semi-statically）に設定する（オプション３）。あるいは、基地局は、物理レイヤシグナリング（例えば、下り制御情報）でＤＬデータに対するＡ／Ｎ送信タイミングをＵＥに動的（dynamically）に通知してもよい（オプション４）。Ａ／Ｎ送信タイミングの通知（設定）方法として、オプション３及びオプション４のいずれか一方を適用してもよいし、切り替えて適用してもよい。
【００３５】
また、オプション１及び／又はオプション２と、オプション３とを組み合わせて適用してもよいし、オプション１及び／又はオプション２と、オプション４とを組み合わせて適用してもよい。以下に示す構成は、オプション４（＋オプション１及び／又はオプション２との組み合わせ）に好適に適用することができるが、これに限られない。
【００３６】
図１は、所定の時間ユニット（例えば、スロット）に対するＡ／Ｎ用に時間ウィンドウを設定する場合の一例を示している。ここでは、スロット＃０で送信されるＤＬデータのＡ／Ｎについて、スロット＃２−＃７にわたって時間ウィンドウを設定する場合を示している。なお、時間ウィンドウは、連続する複数スロットに設定されてもよいし、非連続の複数スロットに設定されてもよい。また、時間ウィンドウは、１つ以上のスロットに設定すればよい。また、時間ウィンドウは、所定条件（例えば、Ａ／Ｎ送信ができなかった場合等）に基づいて拡張してもよい。
【００３７】
時間ウィンドウは、送信タイミングが異なる時間ユニット（例えば、スロット）におけるＤＬデータに対応するＡ／Ｎ毎にそれぞれ設定してもよい（図２参照）。例えば、異なるスロット毎に時間ウィンドウをそれぞれ設定する。図２では、スロット＃０で送信されるＤＬデータ＃０のＡ／Ｎと、スロット＃１で送信されるＤＬデータ＃１のＡ／Ｎと、スロット＃２で送信されるＤＬデータ＃２のＡ／Ｎと、に対してそれぞれ時間ウィンドウが設定される。
【００３８】
送信タイミングが異なるＤＬデータのＡ／Ｎ毎に設定される時間ウィンドウは、設定される位置及び／又は期間が異なっていてもよいし、同一であってもよい。図２では、ＤＬデータ＃０−＃２に対するＡ／Ｎ用の時間ウィンドウの位置（設定されるスロットインデックス）は異なるが、時間ウィンドウのサイズは同一（ここでは、６スロット）となる場合を示している。
【００３９】
ＵＥは、通知されたＡ／Ｎ送信タイミング（又は、ＵＬ送信指示）が時間ウィンドウの範囲に含まれる場合、当該時間ウィンドウに関連する（対応する）ＤＬデータのＡ／Ｎビットを多重してＡ／Ｎ送信を行う。つまり、ＵＥは、Ａ／Ｎ送信タイミング（所定スロット）を含む時間ウィンドウに関連するＡ／ＮをＵＬチャネル（例えば、ＰＵＣＣＨ又はＰＵＳＣＨ）に多重して送信する。
【００４０】
また、各ＤＬ送信（図２におけるＤＬデータ＃０−＃２）に対するＡ／Ｎ毎にそれぞれ時間ウィンドウが設定される場合、ＵＥは、Ａ／Ｎ送信タイミングと、各Ａ／Ｎ毎に設定された時間ウィンドウに基づいて１又は複数のＡ／Ｎを所定タイミングで送信する。
【００４１】
例えば、図２において、基地局から通知（又は、スケジューリング、トリガとも呼ぶ）されたＡ／Ｎ送信タイミングがスロット＃３となる場合を仮定する。かかる場合、Ａ／Ｎ送信タイミングは、ＤＬデータ＃０のＡ／Ｎ用の時間ウィンドウと、ＤＬデータ＃１のＡ／Ｎ用の時間ウィンドウの範囲に含まれる。この場合、ＵＥは、スロット＃３において、ＤＬデータ＃０のＡ／Ｎと、ＤＬデータ＃１のＡ／Ｎを多重して送信する。
【００４２】
また、図２において、基地局から通知されたＡ／Ｎ送信タイミングがスロット＃４となる場合を仮定する。かかる場合、Ａ／Ｎ送信タイミングは、ＤＬデータ＃０のＡ／Ｎ用の時間ウィンドウと、ＤＬデータ＃１のＡ／Ｎ用の時間ウィンドウと、ＤＬデータ＃２のＡ／Ｎ用の時間ウィンドウの範囲に含まれる。この場合、ＵＥは、スロット＃４において、ＤＬデータ＃０のＡ／Ｎと、ＤＬデータ＃１のＡ／Ｎと、ＤＬデータ＃２のＡ／Ｎを多重して送信する。
【００４３】
このように、Ａ／Ｎ送信タイミングが時間ウィンドウ内に含まれる場合、当該時間ウィンドウを構成するＡ／ＮをＵＬチャネルに多重して送信する。なお、１つの時間ウィンドウに複数のＡ／Ｎ送信タイミング（例えば、時間ウィンドウ内の複数のスロットでＡ／Ｎ送信が指示される場合）、ＵＥは当該時間ウィンドウに対応するＡ／Ｎを送信タイミング毎に（複数スロットで）繰り返し送信してもよい。
【００４４】
Ａ／Ｎ毎に時間ウィンドウを設定し、Ａ／Ｎ送信タイミングが時間ウィンドウに含まれる場合に当該時間ウィンドウに対応するＡ／Ｎ送信を行うことにより、共通（例えば、一つ）のＡ／Ｎ送信タイミングを利用して複数のＤＬデータのＡ／Ｎを送信できる。これにより、Ａ／Ｎの送信可能となるタイミングを一つに限定する場合と比較して、各Ａ／Ｎの送信タイミングを柔軟に設定すると共に、ＤＬ送信回数に対してＡ／Ｎ送信を低減することができる。その結果、各スロットでＵＬ伝送が設定されない場合でも、時間ウィンドウの所定タイミングでＡ／Ｎ送信を指示することにより、Ａ／Ｎフィードバックを柔軟に制御することができる。
【００４５】
また、各スロットで送信されるＤＬデータのＡ／Ｎフィードバックを行うためには、各Ａ／Ｎに設定される時間ウィンドウの範囲に少なくともＡ／Ｎ送信タイミング（又は、ＵＬ伝送を行うスロット）が少なくとも１回は含まれることが必要となる。そのため、基地局は、各スロットで送信されるＤＬデータに対するＡ／Ｎ用にそれぞれ設定される時間ウィンドウの範囲内にＡ／Ｎ送信タイミングが１回は含まれるように、Ａ／Ｎ送信の指示（又は、スケジューリング、トリガとも呼ぶ）を行うものとしてもよい。
【００４６】
ＵＥは、各スロットで送信されるＤＬデータに対するＡ／Ｎ用にそれぞれ設定される時間ウィンドウの範囲内にＡ／Ｎ送信タイミングが少なくとも１回は含まれると想定してＵＬ送信を制御してもよい。なお、基地局から指示されるＡ／Ｎ送信タイミングは、ＵＬ伝送（又は、ＰＵＣＣＨ）が設定されるスロットを示す情報であってもよい。例えば、ＵＥは、基地局からＵＬ伝送（又は、ＰＵＣＣＨ）が設定されるスロットを示す情報を受信した場合に、当該スロットにおいてＡ／Ｎ送信を行う構成としてもよい。
【００４７】
Ａ／Ｎに対して設定される時間ウィンドウは、基地局からＵＥに通知（又は設定）してもよい。例えば、物理レイヤシグナリング（例えば、下り制御情報）及び／又は上位レイヤシグナリングを利用して、Ａ／Ｎ用に設定される時間ウィンドウに関する情報をＵＥに通知する。
【００４８】
基地局は、基準位置から時間ウィンドウの開始タイミングまでのオフセット情報と、時間ウィンドウの期間（サイズ）に関する情報をＵＥに通知してもよい。基準位置は、ＤＬデータが送信されるスロット、又は、当該ＤＬデータをスケジューリングするＤＣＩが送信されるスロットとしてもよい。
【００４９】
例えば、図１に示す場合、ＤＬデータがスケジューリングされるスロット（ここでは、＃０）及び／又は当該ＤＬデータをスケジューリングするＤＣＩが送信されるスロットと、時間ウィンドウの開始スロット（ここでは＃２）との間のオフセットを通知する。また、時間ウィンドウの期間（サイズ）に関する情報（ここでは、６スロット）をＵＥに通知する。時間ウィンドウの情報は、異なるＤＬデータのＡ／Ｎ毎にそれぞれ個別に通知（設定）してもよいし、共通に通知（設定）してもよい。
【００５０】
オフセットは、ＵＥの処理時間の能力（processing  time  capability）を考慮して設定すればよい。例えば、ＵＥの処理時間の能力のミニマム値より大きくなるようにオフセットを設定する。これにより、各ＵＥの能力を考慮して時間ウィンドウを設定できる。なお、オフセット及び／又は時間ウィンドウのサイズは固定値としてもよい。
【００５１】
あるいは、ＵＥは、予め定義された数式を利用して各ＤＬデータのＡ／Ｎ用の時間ウィンドウを判断（例えば、算出）してもよい。例えば、数式に含まれる一部のパラメータ情報を物理レイヤシグナリング及び／又は上位レイヤシグナリングでＵＥに通知し、通知された情報に基づいてＵＥが時間ウィンドウを判断してもよい。
【００５２】
以下に、各ＤＬデータのＡ／Ｎにそれぞれ設定される時間ウィンドウと、Ａ／Ｎの送信タイミングとに基づいてＡ／Ｎフィードバックを制御する一例について図３、図４を参照して具体的に説明する。
【００５３】
図３は、Ａ／Ｎの送信タイミングが所定タイムライン（ここでは、スロット＃１、＃６、＃１１）に設定される場合を示している。図４は、Ａ／Ｎの送信タイミングが所定タイムライン（ここでは、スロット＃１、＃４、＃９−＃１１）に設定される場合を示している。なお、Ａ／Ｎの送信タイミングに関する情報は、基地局からＵＥに通知される。
【００５４】
図３、図４では、各ＤＬデータに対するＡ／Ｎ用の時間ウィンドウが、当該ＤＬデータ（又は、当該ＤＬデータをスケジューリングするＤＣＩ）が送信されるスロットの次スロットから所定期間（ここでは５スロット）にわたって設定される場合を示している。もちろん、時間ウィンドウの位置及び／又はサイズはこれに限られない。
【００５５】
例えば、図３において、スロット＃０で送信されるＤＬデータに対するＡ／Ｎ用の時間ウィンドウは、スロット＃１−＃５に設定される。同様に、スロット＃１で送信されるＤＬデータに対するＡ／Ｎ用の時間ウィンドウは、スロット＃２−＃６に設定される。
【００５６】
Ａ／Ｎ送信タイミングとなるスロット＃１は、スロット＃−４、＃−３、＃−２、＃−１、＃０でそれぞれ送信されるＤＬデータのＡ／Ｎ用の時間ウィンドウに含まれる。そのため、ＵＥは、スロット＃１のＡ／Ｎ送信において、スロット＃−４、＃−３、＃−２、＃−１、＃０でそれぞれ送信されるＤＬデータのＡ／Ｎを多重して送信する。同様に、ＵＥは、スロット＃６のＡ／Ｎ送信において、スロット＃１、＃２、＃３、＃４、＃５でそれぞれ送信されるＤＬデータのＡ／Ｎを多重して送信する。また、ＵＥは、スロット＃１１のＡ／Ｎ送信において、スロット＃６、＃７、＃８、＃９、＃１０でそれぞれ送信されるＤＬデータのＡ／Ｎを多重して送信する。
【００５７】
図３では、各スロットのＤＬデータに対するＡ／Ｎ送信が重複しないようにＡ／Ｎ送信タイミングが設定される場合を示している。この場合、Ａ／Ｎの送信回数を出来るだけ少なくすることができる。もちろん、図４に示すように、少なくとも一部のＤＬデータのＡ／Ｎの送信が繰り返し行われるようにＡ／Ｎ送信タイミングが設定されてもよい。
【００５８】
図４において、Ａ／Ｎ送信タイミングとなるスロット＃４は、スロット＃−１、＃０、＃１、＃２、＃３でそれぞれ送信されるＤＬデータのＡ／Ｎ用時間ウィンドウに含まれる。そのため、ＵＥは、スロット＃４のＡ／Ｎ送信において、スロット＃−１、＃０、＃１、＃２、＃３でそれぞれ送信されるＤＬデータのＡ／Ｎを多重して送信する。スロット＃−１、＃０で送信されるＤＬデータのＡ／Ｎは、スロット＃１でも送信されるため、ＵＥは同じＡ／Ｎ内容となる上り制御情報を繰り返し送信することとなる。
【００５９】
同様に、ＵＥは、スロット＃９のＡ／Ｎ送信において、スロット＃４、＃５、＃６、＃７、＃８でそれぞれ送信されるＤＬデータのＡ／Ｎを多重して送信する。また、ＵＥは、スロット＃１０のＡ／Ｎ送信において、スロット＃５、＃６、＃７、＃８、＃９でそれぞれ送信されるＤＬデータのＡ／Ｎを多重して送信する。また、ＵＥは、スロット＃１１のＡ／Ｎ送信において、スロット＃６、＃７、＃８、＃９、＃１０でそれぞれ送信されるＤＬデータのＡ／Ｎを多重して送信する。
【００６０】
この場合、ＵＥは、スロット＃５、＃９で送信されるＤＬデータのＡ／Ｎを２回送信し、スロット＃６、＃７、＃８で送信されるＤＬデータのＡ／Ｎを３回送信する。このように、同じＤＬデータに対するＡ／Ｎを複数回フィードバックすることによりＡ／Ｎの復調性能を向上することができる。
【００６１】
以上のように、第１の態様では、Ａ／Ｎ毎に時間ウィンドウを設定し、当該時間ウィンドウの範囲内に設定されるＡ／Ｎ送信タイミングを利用してＡ／Ｎ送信を制御する。これにより、各Ａ／Ｎの送信期間を一つのみに限定する場合と比較してＡ／Ｎフィードバックタイミングを柔軟に制御することができる。
【００６２】
（第２の態様）
第２の態様は、Ａ／Ｎに時間ウィンドウを設定してＡ／Ｎ送信を制御する場合のＡ／Ｎコードブックについて説明する。
【００６３】
ＵＥは、Ａ／Ｎを送信する場合に所定のビットサイズで行う。Ａ／Ｎ送信に利用するビットサイズは、Ａ／Ｎコードブック、コードブックサイズ、Ａ／Ｎビット、又はＡ／Ｎビット列とも呼ぶ。基地局がＵＥから送信されるＡ／Ｎに対して適切に受信処理（例えば、復号等）を行うには、ＵＥがＡ／Ｎ送信に適用するコードブックサイズを基地局側でも認識する必要がある。
【００６４】
そこで、第２の態様では、Ａ／Ｎ送信に適用するコードブックサイズを固定的に設定する場合（ケース１）と、ＤＬデータのスケジューリングに応じてコードブックサイズを設定（可変と）する場合（ケース２）について説明する。
【００６５】
＜ケース１＞
ＵＥは、ある時間ユニット（例えば、あるスロット）において、ＤＬデータがスケジューリングされているか否かに関わらず、当該スロットに対するＡ／Ｎビットを生成する。例えば、図３において、各スロットにおいて、ＤＬデータがスケジューリングされているかに関わらず、各スロットに対するＡ／Ｎビットを生成する。つまり、ＵＥは、各スロットにおいて、ＤＬデータを受信したか否かに関わらず、Ａ／Ｎビットを生成する。なお、Ａ／Ｎビットの生成を行う対象（スロット）は全てのスロットとしてもよいし、ＤＬ伝送が設定／通知されるスロットに限定してもよい。
【００６６】
Ａ／Ｎビットの生成を行う対象（スロット）を全てのスロットとする場合、当該ＵＥが送信するＡ／Ｎコードブックは常に同じサイズとなる。Ａ／Ｎビットの生成を行う対象（スロット）をＤＬ伝送が設定／通知されるスロットに限定する場合、当該ＵＥが送信するＡ／Ｎコードブックは設定／通知されるＤＬスロットのパターン等によって変化するものの、ＤＬデータをスケジューリングするＤＣＩの検出ミスの有無に関わらず、基地局と端末とで、コードブックの共通認識を持つことができるようになる。
【００６７】
図３のＡ／Ｎ送信タイミング（例えば、スロット＃６）では、スロット＃１−＃５のＤＬデータに対するＡ／Ｎ用の時間ウィンドウが含まれる。この場合、スロット＃１−＃５のＤＬデータのスケジューリング有無（又は、受信有無）に関わらず、スロット＃１−＃５に対してそれぞれＡ／Ｎビットを生成する。つまり、Ａ／Ｎ送信タイミング（例えば、スロット＃６）で生成するＡ／Ｎビットサイズは、当該送信タイミングが含まれる時間ウィンドウを構成するＡ／Ｎ数に基づいて決定される。
【００６８】
このように、ケース１では、各スロットにおけるＤＬデータの受信有無に関わらず、Ａ／Ｎ送信タイミング（例えば、図３のスロット＃１、＃６、＃１１）で固定のコードブックサイズを適用してＡ／Ｎ送信を行う。これにより、いずれかのスロットにおいてＵＥがＤＬ信号（ＤＬデータ及び／又は当該ＤＬデータをスケジューリングするＤＣＩ）を検出ミスした場合でも、固定のコードブックサイズを適用して送信できる。その結果、ＵＥと基地局におけるコードブックサイズの認識を一致させることができるため、基地局における受信処理を適切に行うことができる。
【００６９】
また、ＵＥは、あるスロットのＤＬデータをスケジューリングする下り制御情報（例えば、ＤＬアサイメント）を検出できなかった場合、当該スロットに対してＮＡＣＫを生成する。ＵＥがスロット＃０のＤＬデータをスケジューリングするＤＣＩ（例えば、同じスロット＃０で検出されるＤＣＩ）を検出できなかった場合、当該スロット＃０のＤＬデータに対するＡ／ＮをＮＡＣＫと判断してＡ／Ｎビットの生成を行う。
【００７０】
また、ＵＥは、あるスロットにおいて、ＤＬデータをスケジューリングする下り制御情報（例えば、ＤＬアサイメント）を検出できなかった場合、当該ＤＬデータがスケジューリングされるスロットに対してＮＡＣＫを生成する。ＵＥがスロット＃０において所定スロット（＃０以降のスロット）のＤＬデータをスケジューリングするＤＣＩを検出できなかった場合、ＵＥは、当該所定スロットに対するＡ／ＮをＮＡＣＫと判断してＡ／Ｎビットの生成を行う。クロススロットスケジューリングを適用する場合には、ＤＬデータと当該ＤＬデータをスケジューリングするＤＣＩが異なるスロットに配置されるため、このようにＤＬデータのスロットを考慮してＮＡＣＫと判断すればよい。
【００７１】
＜ケース２＞
ＵＥは、ある時間ユニット（例えば、あるスロット）において、ＤＬデータがスケジューリングされているか否かに応じて、当該スロットに対するＡ／Ｎビットの生成を行う。例えば、図３において、所定のスロット（例えば、スロット＃０）において、ＤＬデータがスケジューリングされている場合、当該スロット＃０に対するＡ／Ｎビットを生成する。一方で、スロット＃０において、ＤＬデータがスケジューリングされていない場合、当該スロット＃０に対するＡ／Ｎビットを生成しない。
【００７２】
この場合、ＵＥは、Ａ／Ｎ送信タイミング（Ａ／Ｎ送信スロット）において、実際にＤＬデータがスケジューリングされているスロットを考慮してＡ／Ｎ送信に適用するコードブックサイズを決定する。
【００７３】
図３のＡ／Ｎ送信タイミング（例えば、スロット＃６）では、スロット＃１−＃５のＤＬデータに対するＡ／Ｎ用の時間ウィンドウが含まれる。この場合、ＵＥは、スロット＃１−＃５のＤＬデータのスケジューリング有無をそれぞれ考慮して、スロット＃１−＃５のＤＬデータのＡ／Ｎビットの生成と、コードブックサイズを制御する。
【００７４】
例えば、スロット＃１−＃５において、スロット＃２、＃４、＃５においてＤＬデータがスケジューリングされている場合、当該スロット＃２、＃４、＃５のＤＬデータに対してＡ／Ｎをそれぞれ生成すると共に、コードブックサイズを決定する。つまり、Ａ／Ｎ送信タイミングで生成するＡ／Ｎビットサイズは、当該送信タイミングが含まれる時間ウィンドウに対応するＡ／Ｎのうち、対応するＤＬデータが実際にスケジューリングされた数に基づいて決定される。
【００７５】
なお、各スロットにおいてＤＬデータがスケジューリングされているか否かは、例えば、ＤＬデータをスケジューリングするＤＣＩに含まれるＤＬ  ＤＡＩ（Downlink  Assignment  Index）を利用して判断することができる。つまり、ＵＥは、各スロットにおけるＰＤＣＣＨ（又は、ＤＣＩ）の検出ミスを、ＤＬ  ＤＡＩに基づいて判断すればよい。ＤＬ  ＤＡＩは、ある期間においてスケジューリングされたＤＬデータのトータル数を示すトータルＤＡＩと、スケジューリングされたＤＬデータの累積値を示すカウンタＤＡＩで構成されていてもよいし、カウンタＤＡＩのみで構成されてもよい。
【００７６】
＜Ａ／Ｎビット位置＞
上述したように、Ａ／Ｎに時間ウィンドウを設定して複数のＡ／Ｎ送信を行う場合、Ａ／Ｎビット位置（多重位置）をどのように制御するかが問題となる。そこで、以下に、コードブックサイズの設定方法（ケース１又はケース２）に基づいてＡ／Ｎビット位置（HARQ-ACK  bit position）を制御する場合を説明する。
【００７７】
コードブックサイズを固定的に設定する場合（ケース１）、Ａ／Ｎビットの順序（多重する順番）は、各Ａ／Ｎにそれぞれ対応するＤＬデータのスロット番号（スロットインデックス）に基づいて制御する。つまり、Ａ／Ｎの生成元となるＤＬデータが送信されるスロット番号が小さい順番にＡ／Ｎのビットを配置する。
【００７８】
例えば、図３のＡ／Ｎ送信タイミング（例えば、スロット＃６）において、スロット＃１−＃５のＤＬデータに対するＡ／Ｎを送信する場合を想定する。かかる場合、スロット＃１のＤＬデータに対するＡ／Ｎを先頭とし、続いてスロット＃２−５のＤＬデータに対するＡ／Ｎを順番に多重すればよい。このように、ＤＬデータのスロット番号に基づいてＡ／Ｎビットの位置を制御することにより、早く生成されるＡ／Ｎから順番に配置することができる。これにより、Ａ／Ｎビット生成において遅延が生じることを抑制できる。
【００７９】
ＤＬデータのスケジューリングに応じてコードブックサイズを設定（可変と）する場合（ケース２）、Ａ／Ｎビットの順序は、スケジューリングされるＤＬデータの送信順序（又は、受信順序）に基づいて制御してもよい。スケジューリングされるＤＬデータの送信順序は、ＤＬ  ＤＡＩ（例えば、カウンタＤＡＩ）の順序と読み替えてもよい。つまり、ＵＥは、ＤＬ  ＤＡＩに基づいてＡ／Ｎの配置順序を決定する。これにより、早くスケジューリングされるＤＬデータのＡ／Ｎから順番に配置することができるため、Ａ／Ｎビット生成において遅延が生じることを抑制できる。
【００８０】
なお、セミパーシステントスケジューリング（ＤＬ  ＳＰＳ）に対するＡ／Ｎフィードバックにおいては、ＤＬ  ＳＰＳを適用するＤＬデータのＡ／Ｎビットを、先頭又は最後のビット領域に配置してもよい。
【００８１】
ＤＬ  ＳＰＳを適用する場合、各スロットで送信されるＤＬデータはＤＣＩでスケジューリングされない。そのため、ＵＥは、ＤＬ  ＳＰＳを適用するＤＬデータの送信順序をＤＣＩに含まれるＤＬ  ＤＡＩで判断することができない。したがって、ＤＬ  ＳＰＳを適用するＤＬデータのＡ／Ｎビットを、送信するビット列の先頭又は最後のビット領域に配置する。これにより、ＤＬ  ＳＰＳを適用するＤＬデータのＡ／Ｎと、スケジューリングされるＤＬデータのＡ／Ｎを適切に多重して送信することができる。
【００８２】
（第３の態様）
第３の態様は、Ａ／Ｎに設定された時間ウィンドウで当該Ａ／Ｎを送信できない場合のＡ／Ｎ送信制御について説明する。
【００８３】
通信環境によってはＡ／Ｎ用に設定された時間ウィンドウ範囲でＵＥが当該Ａ／Ｎを送信できないケースも考えられる。例えば、アンライセンスバンドでは、ＵＬ送信前にリスニング（ＬＢＴ：listen-before-talk）を実施し、当該リスニングがアイドルの場合にＵＬ送信が許可され、ビジーの場合にＵＬ送信が制限される。したがって、基地局から通知されたＡ／Ｎ送信タイミング（例えば、所定スロット）において、ＵＬ送信（Ａ／Ｎ送信）前に実施するリスニングがビジーである場合、当該Ａ／Ｎを所定スロットで送信できず、結果的にＡ／Ｎを時間ウィンドウ内で送信できなくなる場合がある。
【００８４】
あるいは、ＤＬデータに対するＡ／Ｎの送信タイミングが時間ウィンドウ内に設定されるように基地局から指示（又は、スケジューリング、トリガ）されないケースも考えられる。例えば、同じキャリアで通信する他のユーザまたは運用されるサービス向けに、ＤＬリソース時間区間が延長され、かつＵＬリソースの設定周期が延長される場合、Ａ／Ｎ送信タイミングが時間ウィンドウ範囲に含まれなくなるおそれがある。
【００８５】
そこで、本態様では、設定された時間ウィンドウ範囲で当該Ａ／Ｎを送信できない場合、ＵＥが時間ウィンドウ経過後において最も早くＡ／Ｎを送信できるタイミングを利用して当該Ａ／Ｎ送信を行うように制御する。
【００８６】
図５は、スロット＃８−＃１０において、所定理由（例えば、ＬＢＴビジー）によりＵＬ送信が制限される場合を示している。図５では、スロット＃４、＃５で送信されるＤＬデータに対するＡ／Ｎに設定される時間ウィンドウ範囲内にＡ／Ｎ送信タイミングが含まれない。そのため、ＵＥは、スロット＃４、＃５で送信されるＤＬデータに対するＡ／Ｎを時間ウィンドウ内で送信できなくなる。
【００８７】
かかる場合、時間ウィンドウ経過後に最も早く設定されるＡ／Ｎ送信タイミング（ここでは、スロット＃１１）において、スロット＃４、＃５で送信されるＤＬデータに対するＡ／Ｎの送信を行うように制御する。ここでは、スロット＃６−＃１０のＤＬデータのＡ／Ｎの時間ウィンドウにスロット＃１１が含まれるため、スロット＃６−＃１０のＤＬデータのＡ／Ｎに加えて、スロット＃４、＃５のＤＬデータのＡ／Ｎの送信を行う。この場合、スロット＃４、＃５のＤＬデータのＡ／Ｎの時間ウィンドウが拡張しているとも考えることができる。
【００８８】
このように、設定された時間ウィンドウでＡ／Ｎ送信を行うことができない場合、時間ウィンドウ後のＡ／Ｎ送信タイミングを利用して当該Ａ／Ｎ送信を行うことにより、Ａ／Ｎを適切に送信し、通信品質の劣化を抑制することが可能となる。
【００８９】
（無線通信システム）
以下、本実施の形態に係る無線通信システムの構成について説明する。この無線通信システムでは、上記各態様に係る無線通信方法が適用される。なお、上記各態様に係る無線通信方法は、それぞれ単独で適用されてもよいし、組み合わせて適用されてもよい。
【００９０】
図６は、本実施の形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。なお、無線通信システム１は、ＳＵＰＥＲ  ３Ｇ、ＬＴＥ−Ａ（ＬＴＥ−Ａｄｖａｎｃｅｄ）、ＩＭＴ−Ａｄｖａｎｃｅｄ、４Ｇ、５Ｇ、ＦＲＡ（Future  Radio  Access）、ＮＲ（New  RAT）などと呼ばれても良い。
【００９１】
図６に示す無線通信システム１は、マクロセルＣ１を形成する無線基地局１１と、マクロセルＣ１内に配置され、マクロセルＣ１よりも狭いスモールセルＣ２を形成する無線基地局１２ａ〜１２ｃとを備えている。また、マクロセルＣ１及び各スモールセルＣ２には、ユーザ端末２０が配置されている。セル間で異なるニューメロロジーが適用される構成としてもよい。なお、ニューメロロジーとは、あるＲＡＴにおける信号のデザイン、及び／又は、ＲＡＴのデザインを特徴付ける通信パラメータのセットのことをいう。
【００９２】
ユーザ端末２０は、無線基地局１１及び無線基地局１２の双方に接続することができる。ユーザ端末２０は、異なる周波数を用いるマクロセルＣ１とスモールセルＣ２を、ＣＡ又はＤＣにより同時に使用することが想定される。また、ユーザ端末２０は、複数のセル（ＣＣ）（例えば、２個以上のＣＣ）を用いてＣＡ又はＤＣを適用することができる。また、ユーザ端末は、複数のセルとしてライセンスバンドＣＣとアンライセンスバンドＣＣを利用することができる。
【００９３】
また、ユーザ端末２０は、各セルで、時分割複信（ＴＤＤ：Time  Division  Duplex）又は周波数分割複信（ＦＤＤ：Frequency  Division  Duplex）を用いて通信を行うことができる。ＴＤＤのセル、ＦＤＤのセルは、それぞれ、ＴＤＤキャリア（フレーム構成タイプ２）、ＦＤＤキャリア（フレーム構成タイプ１）等と呼ばれてもよい。
【００９４】
また、各セル（キャリア）では、相対的に長い時間長（例えば、１ｍｓ）を有するサブフレーム（ＴＴＩ、通常ＴＴＩ、ロングＴＴＩ、通常サブフレーム、ロングサブフレーム、スロット等ともいう）、又は、相対的に短い時間長を有するサブフレーム（ショートＴＴＩ、ショートサブフレーム、スロット等ともいう）のいずれか一方が適用されてもよいし、ロングサブフレーム及びショートサブフレームの双方が適用されてもよい。また、各セルで、２以上の時間長のサブフレームが適用されてもよい。
【００９５】
ユーザ端末２０と無線基地局１１との間は、相対的に低い周波数帯域（例えば、２ＧＨｚ）で帯域幅が狭いキャリア（既存キャリア、Legacy  carrierなどと呼ばれる）を用いて通信を行うことができる。一方、ユーザ端末２０と無線基地局１２との間は、相対的に高い周波数帯域（例えば、３．５ＧＨｚ、５ＧＨｚ、３０〜７０ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【００９６】
無線基地局１１と無線基地局１２との間（又は、２つの無線基地局１２間）は、有線接続（例えば、ＣＰＲＩ（Common  Public  Radio  Interface）に準拠した光ファイバ、Ｘ２インターフェースなど）又は無線接続する構成とすることができる。
【００９７】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されるものではない。また、各無線基地局１２は、無線基地局１１を介して上位局装置３０に接続されてもよい。
【００９８】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【００９９】
各ユーザ端末２０は、ＬＴＥ、ＬＴＥ−Ａなどの各種通信方式に対応した端末であり、移動通信端末だけでなく固定通信端末を含んでもよい。また、ユーザ端末２０は、他のユーザ端末２０との間で端末間通信（Ｄ２Ｄ）を行うことができる。
【０１００】
無線通信システム１においては、無線アクセス方式として、下りリンク（ＤＬ）にＯＦＤＭＡ（直交周波数分割多元接続）が適用でき、上りリンク（ＵＬ）にＳＣ−ＦＤＭＡ（シングルキャリア−周波数分割多元接続）が適用できる。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックからなる帯域に分割し、複数の端末が互いに異なる帯域を用いることで、端末間の干渉を低減するシングルキャリア伝送方式である。なお、上り及び下りの無線アクセス方式は、これらの組み合わせに限られず、ＵＬでＯＦＤＭＡが用いられてもよい。また、端末間通信に用いられるサイドリンク（ＳＬ）にＳＣ−ＦＤＭＡを適用できる。
【０１０１】
無線通信システム１では、ＤＬチャネルとして、各ユーザ端末２０で共有されるＤＬデータチャネル（ＰＤＳＣＨ：Physical  Downlink  Shared  Channel、ＤＬ共有チャネル等ともいう）、ブロードキャストチャネル（ＰＢＣＨ：Physical  Broadcast  Channel）、Ｌ１／Ｌ２制御チャネルなどが用いられる。ＰＤＳＣＨにより、ユーザデータ、上位レイヤ制御情報、ＳＩＢ（System  Information  Block）の少なくとも一つなどが伝送される。また、ＰＢＣＨにより、ＭＩＢ（Master  Information  Block）が伝送される。
【０１０２】
Ｌ１／Ｌ２制御チャネルは、ＤＬ制御チャネル（例えば、ＰＤＣＣＨ（Physical  Downlink  Control  Channel）及び／又はＥＰＤＣＣＨ（Enhanced  Physical  Downlink  Control  Channel））、ＰＣＦＩＣＨ（Physical  Control  Format  Indicator  Channel）、ＰＨＩＣＨ（Physical  Hybrid-ARQ  Indicator  Channel）などを含む。ＰＤＣＣＨ及び／又はＥＰＤＣＣＨにより、ＰＤＳＣＨ及びＰＵＳＣＨのスケジューリング情報を含む下り制御情報（ＤＣＩ：Downlink  Control  Information）などが伝送される。ＰＣＦＩＣＨにより、ＰＤＣＣＨに用いるＯＦＤＭシンボル数が伝送される。ＥＰＤＣＣＨは、ＰＤＳＣＨと周波数分割多重され、ＰＤＣＣＨと同様にＤＣＩなどの伝送に用いられる。ＰＨＩＣＨ、ＰＤＣＣＨ、ＥＰＤＣＣＨの少なくとも一つにより、ＰＵＳＣＨの送達確認情報（Ａ／Ｎ、ＨＡＲＱ−ＡＣＫ）を伝送できる。
【０１０３】
無線通信システム１では、ＵＬチャネルとして、各ユーザ端末２０で共有されるＵＬデータチャネル（ＰＵＳＣＨ：Physical  Uplink  Shared  Channel、ＵＬ共有チャネル等ともいう）、ＵＬ制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨにより、ユーザデータ、上位レイヤ制御情報が伝送される。ＰＤＳＣＨの送達確認情報（Ａ／Ｎ、ＨＡＲＱ−ＡＣＫ）、チャネル状態情報（ＣＳＩ）の少なくとも一つを含む上り制御情報（ＵＣＩ：Uplink  Control  Information）は、ＰＵＳＣＨ又はＰＵＣＣＨにより、伝送される。ＰＲＡＣＨにより、セルとの接続確立のためのランダムアクセスプリアンブルを伝送できる。
【０１０４】
＜無線基地局＞
図７は、本実施の形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６とを備えている。なお、送受信アンテナ１０１、アンプ部１０２、送受信部１０３は、それぞれ１つ以上を含むように構成されてもよい。
【０１０５】
下りリンクにより無線基地局１０からユーザ端末２０に送信されるユーザデータは、上位局装置３０から伝送路インターフェース１０６を介してベースバンド信号処理部１０４に入力される。
【０１０６】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱ（Hybrid  Automatic  Repeat  reQuest）の処理）、スケジューリング、伝送フォーマット選択、チャネル符号化、レートマッチング、スクランブリング、逆高速フーリエ変換（ＩＦＦＴ：Inverse  Fast  Fourier  Transform）処理及びプリコーディング処理の少なくとも一つなどの送信処理が行われて送受信部１０３に転送される。また、下り制御信号に関しても、チャネル符号化及び／又は逆高速フーリエ変換などの送信処理が行われて、送受信部１０３に転送される。
【０１０７】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２により増幅され、送受信アンテナ１０１から送信される。
【０１０８】
本発明に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１０９】
一方、ＵＬ信号については、送受信アンテナ１０１で受信された無線周波数信号がアンプ部１０２で増幅される。送受信部１０３はアンプ部１０２で増幅されたＵＬ信号を受信する。送受信部１０３は、受信信号をベースバンド信号に周波数変換して、ベースバンド信号処理部１０４に出力する。
【０１１０】
ベースバンド信号処理部１０４では、入力されたＵＬ信号に含まれるＵＬデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの設定、解放などの呼処理、無線基地局１０の状態管理、無線リソースの管理の少なくとも一つを行う。
【０１１１】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して隣接無線基地局１０と信号を送受信（バックホールシグナリング）してもよい。
【０１１２】
送受信部１０３は、ＤＬ送信に対する再送制御情報を受信する。また、送受信部１０３は、ユーザ端末に再送制御情報の送信タイミングに関する情報、再送制御情報に対して設定される時間ウィンドウ（例えば、オフセット、サイズ等）に関する情報、及びスロット構成（例えば、スロットの伝送方向等）に関する情報の少なくとも一つを送信する。
【０１１３】
また、送受信部１０３は、再送制御情報の送信タイミングと再送制御情報毎に設定された時間ウィンドウとに基づいて１又は複数の再送制御情報を受信する。また、送受信部１０３は、再送制御情報の送信タイミングが各時間ウィンドウの範囲に少なくとも１回は含まれるように送信タイミングの通知を行ってもよい。
【０１１４】
図８は、本実施の形態に係る無線基地局の機能構成の一例を示す図である。なお、図８は、本実施の形態における特徴部分の機能ブロックを主に示しており、無線基地局１０は、無線通信に必要な他の機能ブロックも有しているものとする。図８に示すように、ベースバンド信号処理部１０４は、制御部３０１と、送信信号生成部３０２と、マッピング部３０３と、受信信号処理部３０４と、測定部３０５とを備えている。
【０１１５】
制御部３０１は、無線基地局１０全体の制御を実施する。制御部３０１は、例えば、送信信号生成部３０２によるＤＬ信号の生成、マッピング部３０３によるＤＬ信号のマッピング、受信信号処理部３０４によるＵＬ信号の受信処理（例えば、復調など）及び測定部３０５による測定の少なくとも一つを制御する。
【０１１６】
具体的には、制御部３０１は、ユーザ端末２０のスケジューリングを行う。例えば、制御部３０１は、上り共有チャネルの送信タイミング及び／又は送信期間と、上り制御情報の送信タイミング及び／又は送信期間を制御する。また、制御部３０１は、各スロットの構成（ＤＬ伝送、ＵＬ伝送又はその他）を制御する。
【０１１７】
また、制御部３０１は、再送制御情報に対して時間ウィンドウが設定される場合、所定タイミングと再送制御情報に設定された時間ウィンドウとに基づいて再送制御情報の受信を制御する。また、制御部３０１は、所定タイミングが各時間ウィンドウの範囲に少なくとも１回は含まれるように所定タイミングの通知を制御してもよい。
【０１１８】
制御部３０１は、本発明に係る技術分野での共通認識に基づいて説明されるコントローラ、制御回路又は制御装置から構成することができる。
【０１１９】
送信信号生成部３０２は、制御部３０１からの指示に基づいて、ＤＬ信号（ＤＬデータ信号、ＤＬ制御信号、ＤＬ参照信号を含む）を生成して、マッピング部３０３に出力する。
【０１２０】
送信信号生成部３０２は、本発明に係る技術分野での共通認識に基づいて説明される信号生成器、信号生成回路又は信号生成装置とすることができる。
【０１２１】
マッピング部３０３は、制御部３０１からの指示に基づいて、送信信号生成部３０２で生成されたＤＬ信号を、所定の無線リソースにマッピングして、送受信部１０３に出力する。マッピング部３０３は、本発明に係る技術分野での共通認識に基づいて説明されるマッパー、マッピング回路又はマッピング装置とすることができる。
【０１２２】
受信信号処理部３０４は、ユーザ端末２０から送信されるＵＬ信号（例えば、ＵＬデータ信号、ＵＬ制御信号、ＵＬ参照信号を含む）に対して、受信処理（例えば、デマッピング、復調、復号など）を行う。具体的には、受信信号処理部３０４は、受信信号及び／又は受信処理後の信号を、測定部３０５に出力してもよい。また、受信信号処理部３０４は、制御部３０１から指示されるＵＬ制御チャネル構成に基づいて、ＵＣＩの受信処理を行う。
【０１２３】
測定部３０５は、受信した信号に関する測定を実施する。測定部３０５は、本発明に係る技術分野での共通認識に基づいて説明される測定器、測定回路又は測定装置から構成することができる。
【０１２４】
測定部３０５は、例えば、ＵＬ参照信号の受信電力（例えば、ＲＳＲＰ（Reference  Signal  Received  Power））及び／又は受信品質（例えば、ＲＳＲＱ（Reference  Signal  Received  Quality））に基づいて、ＵＬのチャネル品質を測定してもよい。測定結果は、制御部３０１に出力されてもよい。
【０１２５】
＜ユーザ端末＞
図９は、本実施の形態に係るユーザ端末の全体構成の一例を示す図である。ユーザ端末２０は、ＭＩＭＯ伝送のための複数の送受信アンテナ２０１と、アンプ部２０２と、送受信部２０３と、ベースバンド信号処理部２０４と、アプリケーション部２０５と、を備えている。
【０１２６】
複数の送受信アンテナ２０１で受信された無線周波数信号は、それぞれアンプ部２０２で増幅される。各送受信部２０３はアンプ部２０２で増幅されたＤＬ信号を受信する。送受信部２０３は、受信信号をベースバンド信号に周波数変換して、ベースバンド信号処理部２０４に出力する。
【０１２７】
ベースバンド信号処理部２０４は、入力されたベースバンド信号に対して、ＦＦＴ処理、誤り訂正復号、再送制御の受信処理などの少なくとも一つを行う。ＤＬデータは、アプリケーション部２０５に転送される。アプリケーション部２０５は、物理レイヤ及びＭＡＣレイヤより上位のレイヤに関する処理などを行う。
【０１２８】
一方、ＵＬデータについては、アプリケーション部２０５からベースバンド信号処理部２０４に入力される。ベースバンド信号処理部２０４では、再送制御処理（例えば、ＨＡＲＱの処理）、チャネル符号化、レートマッチング、パンクチャ、離散フーリエ変換（ＤＦＴ：Discrete  Fourier  Transform）処理、ＩＦＦＴ処理などの少なくとも一つが行われて各送受信部２０３に転送される。ＵＣＩ（例えば、ＤＬ信号のＡ／Ｎ、チャネル状態情報（ＣＳＩ）、スケジューリング要求（ＳＲ）の少なくとも一つなど）についても、チャネル符号化、レートマッチング、パンクチャ、ＤＦＴ処理及びＩＦＦＴ処理などの少なくとも一つが行われて各送受信部２０３に転送される。
【０１２９】
送受信部２０３は、ベースバンド信号処理部２０４から出力されたベースバンド信号を無線周波数帯に変換して送信する。送受信部２０３で周波数変換された無線周波数信号は、アンプ部２０２により増幅され、送受信アンテナ２０１から送信される。
【０１３０】
送受信部２０３は、ＤＬ送信（例えば、ＤＬデータ、ＰＤＳＣＨ）に対する再送制御情報を送信する。また、送受信部２０３は、再送制御情報の送信タイミングに関する情報、再送制御情報に対して設定される時間ウィンドウ（例えば、オフセット、サイズ等）に関する情報、及びスロット構成（例えば、スロットの伝送方向等）に関する情報の少なくとも一つを受信する。
【０１３１】
また、送受信部２０３は、再送制御情報の送信タイミングと再送制御情報毎に設定された時間ウィンドウとに基づいて１又は複数の再送制御情報を送信する。また、送受信部２０３は、再送制御情報の送信タイミングが各時間ウィンドウの範囲に少なくとも１回は含まれると想定してＵＬ送信（例えば、Ａ／Ｎ送信）を制御してもよい。
【０１３２】
送受信部２０３は、本発明に係る技術分野での共通認識に基づいて説明されるトランスミッター／レシーバー、送受信回路又は送受信装置とすることができる。また、送受信部２０３は、一体の送受信部として構成されてもよいし、送信部及び受信部から構成されてもよい。
【０１３３】
図１０は、本実施の形態に係るユーザ端末の機能構成の一例を示す図である。なお、図１０においては、本実施の形態における特徴部分の機能ブロックを主に示しており、ユーザ端末２０は、無線通信に必要な他の機能ブロックも有しているものとする。図１０に示すように、ユーザ端末２０が有するベースバンド信号処理部２０４は、制御部４０１と、送信信号生成部４０２と、マッピング部４０３と、受信信号処理部４０４と、測定部４０５と、を備えている。
【０１３４】
制御部４０１は、ユーザ端末２０全体の制御を実施する。制御部４０１は、例えば、送信信号生成部４０２によるＵＬ信号の生成、マッピング部４０３によるＵＬ信号のマッピング、受信信号処理部４０４によるＤＬ信号の受信処理及び測定部４０５による測定の少なくとも一つを制御する。
【０１３５】
また、制御部４０１は、基地局から通知された（又は、予め設定された）所定タイミングで再送制御情報の送信を制御する。例えば、制御部４０１は、ＤＬ送信に対する再送制御情報に時間ウィンドウが設定される場合、所定タイミングと再送制御情報に設定された時間ウィンドウとに基づいて１又は複数の再送制御情報の送信を制御する（図１−図３参照）。また、制御部４０１は、所定タイミングが前記時間ウィンドウの範囲に少なくとも１回は含まれると想定してＵＬ送信を制御してもよい。
【０１３６】
また、制御部４０１は、時間ウィンドウ内に所定タイミングが複数含まれる場合、時間ウィンドウを構成する再送制御情報を複数の所定タイミング毎に送信するように制御してもよい（図４参照）。
【０１３７】
また、制御部４０１は、所定タイミングで送信する再送制御情報のコードブックサイズをＤＬ送信のスケジューリング有無に関わらず制御する。あるいは、制御部４０１は、所定タイミングで送信する再送制御情報のコードブックサイズをＤＬ送信のスケジューリング有無に基づいて制御してもよい。
【０１３８】
また、制御部４０１は、所定タイミングにおいて複数のＤＬ送信に対する再送制御情報の送信を行う場合、各ＤＬ送信が行われる時間ユニット番号又は各ＤＬ送信の送信順序に応じて各再送制御情報の多重位置を制御する。
【０１３９】
また、制御部４０１は、時間ウィンドウの範囲内で再送制御情報を送信できない場合、時間ウィンドウ後に最も早く再送制御情報を送信するタイミングで送信を行うように制御してもよい（図５参照）。
【０１４０】
制御部４０１は、本発明に係る技術分野での共通認識に基づいて説明されるコントローラ、制御回路又は制御装置から構成することができる。
【０１４１】
送信信号生成部４０２は、制御部４０１からの指示に基づいて、ＵＬ信号（ＵＬデータ信号、ＵＬ制御信号、ＵＬ参照信号、ＵＣＩを含む）を生成（例えば、符号化、レートマッチング、パンクチャ、変調など）して、マッピング部４０３に出力する。送信信号生成部４０２は、本発明に係る技術分野での共通認識に基づいて説明される信号生成器、信号生成回路又は信号生成装置とすることができる。
【０１４２】
マッピング部４０３は、制御部４０１からの指示に基づいて、送信信号生成部４０２で生成されたＵＬ信号を無線リソースにマッピングして、送受信部２０３へ出力する。マッピング部４０３は、本発明に係る技術分野での共通認識に基づいて説明されるマッパー、マッピング回路又はマッピング装置とすることができる。
【０１４３】
受信信号処理部４０４は、ＤＬ信号（ＤＬデータ信号、スケジューリング情報、ＤＬ制御信号、ＤＬ参照信号）に対して、受信処理（例えば、デマッピング、復調、復号など）を行う。受信信号処理部４０４は、無線基地局１０から受信した情報を、制御部４０１に出力する。受信信号処理部４０４は、例えば、報知情報、システム情報、ＲＲＣシグナリングなどの上位レイヤシグナリングによる上位レイヤ制御情報、物理レイヤ制御情報（Ｌ１／Ｌ２制御情報）などを、制御部４０１に出力する。
【０１４４】
受信信号処理部４０４は、本発明に係る技術分野での共通認識に基づいて説明される信号処理器、信号処理回路又は信号処理装置から構成することができる。また、受信信号処理部４０４は、本発明に係る受信部を構成することができる。
【０１４５】
測定部４０５は、無線基地局１０からの参照信号（例えば、ＣＳＩ−ＲＳ）に基づいて、チャネル状態を測定し、測定結果を制御部４０１に出力する。なお、チャネル状態の測定は、ＣＣ毎に行われてもよい。
【０１４６】
測定部４０５は、本発明に係る技術分野での共通認識に基づいて説明される信号処理器、信号処理回路又は信号処理装置、並びに、測定器、測定回路又は測定装置から構成することができる。
【０１４７】
＜ハードウェア構成＞
なお、上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現方法は特に限定されない。すなわち、各機能ブロックは、物理的及び／又は論理的に結合した１つの装置を用いて実現されてもよいし、物理的及び／又は論理的に分離した２つ以上の装置を直接的及び／又は間接的に（例えば、有線及び／又は無線を用いて）接続し、これら複数の装置を用いて実現されてもよい。
【０１４８】
例えば、本実施の形態における無線基地局、ユーザ端末などは、本発明の無線通信方法の処理を行うコンピュータとして機能してもよい。図１１は、本実施の形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１４９】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１５０】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、１以上のプロセッサによって実行されてもよい。なお、プロセッサ１００１は、１以上のチップによって実装されてもよい。
【０１５１】
無線基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び／又は書き込みを制御したりすることによって実現される。
【０１５２】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０１５３】
また、プロセッサ１００１は、プログラム（プログラムコード）、ソフトウェアモジュール、データなどを、ストレージ１００３及び／又は通信装置１００４からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０１５４】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本実施の形態に係る無線通信方法を実施するために実行可能なプログラム（プログラムコード）、ソフトウェアモジュールなどを保存することができる。
【０１５５】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１５６】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び／又は時分割複信（ＴＤＤ：Time  Division  Duplex）を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。
【０１５７】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０１５８】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１５９】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０１６０】
（変形例）
なお、本明細書において説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０１６１】
また、無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジーに依存しない固定の時間長（例えば、１ｍｓ）であってもよい。
【０１６２】
さらに、スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。また、スロットは、複数のミニスロットを含んでもよい。各ミニスロットは、時間領域において１つ又は複数のシンボルによって構成されてもよい。また、ミニスロットは、サブスロットと呼ばれてもよい。
【０１６３】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及び／又はＴＴＩは、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１６４】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１６５】
ＴＴＩは、チャネル符号化されたデータパケット（トランスポートブロック）、コードブロック、及び／又はコードワードの送信時間単位であってもよいし、スケジューリング、リンクアダプテーションなどの処理単位となってもよい。なお、ＴＴＩが与えられたとき、実際にトランスポートブロック、コードブロック、及び／又はコードワードがマッピングされる時間区間（例えば、シンボル数）は、当該ＴＴＩよりも短くてもよい。
【０１６６】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１６７】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレームなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、又は、サブスロットなどと呼ばれてもよい。
【０１６８】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１６９】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームは、それぞれ１つ又は複数のリソースブロックによって構成されてもよい。なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０１７０】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０１７１】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０１７２】
また、本明細書において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０１７３】
本明細書においてパラメータなどに使用する名称は、いかなる点においても限定的な名称ではない。例えば、様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０１７４】
本明細書において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１７５】
また、情報、信号などは、上位レイヤから下位レイヤ、及び／又は下位レイヤから上位レイヤへ出力され得る。情報、信号などは、複数のネットワークノードを介して入出力されてもよい。
【０１７６】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０１７７】
情報の通知は、本明細書において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０１７８】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０１７９】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０１８０】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０１８１】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１８２】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び／又は無線技術（赤外線、マイクロ波など）を使用してウェブサイト、サーバ、又は他のリモートソースから送信される場合、これらの有線技術及び／又は無線技術は、伝送媒体の定義内に含まれる。
【０１８３】
本明細書において使用する「システム」及び「ネットワーク」という用語は、互換的に使用される。
【０１８４】
本明細書においては、「基地局（ＢＳ：Base  Station）」、「無線基地局」、「ｅＮＢ」、「ｇＮＢ」、「セル」、「セクタ」、「セルグループ」、「キャリア」及び「コンポーネントキャリア」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０１８５】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head）によって通信サービスを提供することもできる。「セル」又は「セクタ」という用語は、このカバレッジにおいて通信サービスを行う基地局及び／又は基地局サブシステムのカバレッジエリアの一部又は全体を指す。
【０１８６】
本明細書においては、「移動局（ＭＳ：Mobile  Station）」、「ユーザ端末（user  terminal）」、「ユーザ装置（ＵＥ：User  Equipment）」及び「端末」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０１８７】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０１８８】
また、本明細書における無線基地局は、ユーザ端末で読み替えてもよい。例えば、無線基地局及びユーザ端末間の通信を、複数のユーザ端末間（Ｄ２Ｄ：Device-to-Device）の通信に置き換えた構成について、本発明の各態様／実施形態を適用してもよい。この場合、上述の無線基地局１０が有する機能をユーザ端末２０が有する構成としてもよい。また、「上り」及び「下り」などの文言は、「サイド」と読み替えられてもよい。例えば、上りチャネルは、サイドチャネルと読み替えられてもよい。
【０１８９】
同様に、本明細書におけるユーザ端末は、無線基地局で読み替えてもよい。この場合、上述のユーザ端末２０が有する機能を無線基地局１０が有する構成としてもよい。
【０１９０】
本明細書において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０１９１】
本明細書において説明した各態様／実施形態は単独で用いてもよいし、組み合わせて用いてもよいし、実行に伴って切り替えて用いてもよい。また、本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１９２】
本明細書において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム及び／又はこれらに基づいて拡張された次世代システムに適用されてもよい。
【０１９３】
本明細書において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１９４】
本明細書において使用する「第１の」、「第２の」などの呼称を使用した要素へのいかなる参照も、それらの要素の量又は順序を全般的に限定しない。これらの呼称は、２つ以上の要素間を区別する便利な方法として本明細書において使用され得る。したがって、第１及び第２の要素の参照は、２つの要素のみが採用され得ること又は何らかの形で第１の要素が第２の要素に先行しなければならないことを意味しない。
【０１９５】
本明細書において使用する「判断（決定）（determining）」という用語は、多種多様な動作を包含する場合がある。例えば、「判断（決定）」は、計算（calculating）、算出（computing）、処理（processing）、導出（deriving）、調査（investigating）、探索（looking  up）（例えば、テーブル、データベース又は別のデータ構造での探索）、確認（ascertaining）などを「判断（決定）」することであるとみなされてもよい。また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０１９６】
本明細書において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」と読み替えられてもよい。
【０１９７】
本明細書において、２つの要素が接続される場合、１又はそれ以上の電線、ケーブル及び／又はプリント電気接続を用いて、並びにいくつかの非限定的かつ非包括的な例として、無線周波数領域、マイクロ波領域及び／又は光（可視及び不可視の両方）領域の波長を有する電磁エネルギーなどを用いて、互いに「接続」又は「結合」されると考えることができる。
【０１９８】
本明細書において、「ＡとＢが異なる」という用語は、「ＡとＢが互いに異なる」ことを意味してもよい。「離れる」、「結合される」などの用語も同様に解釈されてもよい。
【０１９９】
本明細書又は請求の範囲において、「含む（including）」、「含んでいる（comprising）」、及びそれらの変形が使用されている場合、これらの用語は、用語「備える」と同様に、包括的であることが意図される。さらに、本明細書あるいは請求の範囲において使用されている用語「又は（or）」は、排他的論理和ではないことが意図される。
【０２００】
以上、本発明について詳細に説明したが、当業者にとっては、本発明が本明細書中に説明した実施形態に限定されないということは明らかである。本発明は、請求の範囲の記載に基づいて定まる本発明の趣旨及び範囲を逸脱することなく修正及び変更態様として実施することができる。したがって、本明細書の記載は、例示説明を目的とし、本発明に対して何ら制限的な意味をもたらさない。
【図１】
2019030871.tif 000003
【図２】
2019030871.tif 000004
【図３】
2019030871.tif 000005
【図４】
2019030871.tif 000006
【図５】
2019030871.tif 000007
【図６】
2019030871.tif 000008
【図７】
2019030871.tif 000009
【図８】
2019030871.tif 000010
【図９】
2019030871.tif 000011
【図１０】
2019030871.tif 000012
【図１１】
2019030871.tif 000013
【国際調査報告】
2019030871.tif 000014
2019030871.tif 000015
2019030871.tif 000016
2019030871.tif 000017